(57)【要約】【課題】アルカリ性水と酸性水とを混合しても、それぞれの効果を維持しつつ、マイクロナノバブルの効果も得ることができ、更に、作業の効率化を図ることができる電解水マイクロナノバブル生成装置を提供する。【解決手段】電解水マイクロナノバブル生成装置としての洗面台１０は、水道水から酸性水およびアルカリ性水を生成する電解水生成装置１２と、酸性水に、マイクロナノバブルとした水素ガスを混合して、微細気泡酸性水として送水する第１微細気泡混合器１３と、アルカリ性水に、マイクロナノバブルとした炭酸ガスを混合して、微細気泡アルカリ性水として送水する第２微細気泡混合器１４と、第１微細気泡混合器１３からの微細気泡酸性水と第２微細気泡混合器１４からの微細気泡アルカリ性水とを混合して、微細気泡混合電解水とする混合器１５とを備えている。この微細気泡混合電解水を洗面ボール１０ａの吐出して、顔や肌を洗浄することができる。【選択図】図１
2015098014.tif 000002
【特許請求の範囲】
【請求項１】
原水から酸性水およびアルカリ性水を生成する電解水生成装置と、
前記電解水生成装置からの酸性水にマイクロナノバブルを混合して微細気泡酸性水として送水する第１微細気泡混合器と、
前記電解水生成装置からのアルカリ性水にマイクロナノバブルを混合して微細気泡アルカリ性水として送水する第２微細気泡混合器と、
前記第１微細気泡混合器からの微細気泡酸性水と前記第２微細気泡混合器からの微細気泡アルカリ性水とを混合して、微細気泡混合電解水とする混合器とを備えたことを特徴とする電解水マイクロナノバブル生成装置。
【請求項２】
前記第１微細気泡混合器は、マイクロナノバブルとして水素ガスを、酸性水に混合する請求項１記載の電解水マイクロナノバブル生成装置。
【請求項３】
前記第２微細気泡混合器は、マイクロナノバブルとして炭酸ガスを、アルカリ性水に混合する請求項１記載の電解水マイクロナノバブル生成装置。
【請求項４】
前記混合器からの気泡混合電解水を、下部から吐出させ、オーバーフローさせる貯留容器を備えた請求項１から３のいずれかの項に記載の電解水マイクロナノバブル生成装置。
【請求項５】
前記第１微細気泡混合器に送水される酸性水、または前記第２微細気泡混合器に送水されるアルカリ性水のいずれか一方、または両方に、磁力を付与する磁気処理器が設けられている請求項１から４のいずれかの項に記載の電解水マイクロナノバブル生成装置。
【請求項６】
前記磁気処理器は、前記磁気処理器が設けられた配管を挟んでＮ極磁石とＳ極磁石とを対向させて配置したものである請求項５記載の電解水マイクロナノバブル生成装置。
【発明の詳細な説明】
【技術分野】
【０００１】
本発明は、電解水にマイクロバブルやナノバブル（以下、マイクロナノバブルと称する。）を混合させる電解水マイクロナノバブル生成装置に関するものである。
【背景技術】
【０００２】
水は、電解水として、酸性水とアルカリ性水とに分解して使用されている。酸性水は、殺菌効果があるため殺菌洗浄水として使用される。また、アルカリ性水は、調理水として使用されたり、界面活性剤としての効果を利用した産業用洗浄水として使用されたりしている。また、マイクロナノバブルは、気泡が微細であるため、液中の滞在時間が長く、自己圧壊作用により殺菌効果がある。家庭用として使用される電解水を生成する機能を有する浄水器では、アルカリ性水のみを使用して、酸性水は活用方法がないため捨てられている。
このように使用されている電解水と、マイクロナノバブルを混合した装置が、特許文献１として知られている。
【０００３】
特許文献１に記載の洗浄装置は、アルカリ性水と酸性水を生成する電解水生成装置と、生成したアルカリ性水と酸性水を入れる容器と、アルカリ性水を送水するアルカリ水ラインおよび酸性水を送水する酸性水ラインと、それぞれの電解水を送水するポンプ以降で合流させた下流側に設けられたバブル発生器と、末端の噴射部に設けられたノズルとを備え、トイレの清掃や食品、食品加工機械などの洗浄においては、アルカリ性水にて洗浄した後、酸性水を用いて除菌作業をして、これらをさらに清潔に保つことを可能としたものである。
【先行技術文献】
【特許文献】
【０００４】
【特許文献１】特開２０１３−１８８７３２号公報
【発明の概要】
【発明が解決しようとする課題】
【０００５】
しかし、特許文献１に記載の洗浄装置では、バブル発生器からのマイクロバブルを添加したアルカリ性水にて洗浄した後、酸性水を用いて殺菌作業をしているため、利用者の作業としては２度手間である。アルカリ性水と酸性水を混合して洗浄水としてマイクロバブルを添加して洗浄に用いれば、一度の作業で済むが、アルカリ性水と酸性水を混合すると、中和してしまい、アルカリ性水と酸性水とのそれぞれの効果が得られない。
【０００６】
そこで本発明は、アルカリ性水と酸性水とを混合しても、それぞれの効果を維持しつつ、マイクロナノバブルの効果も得ることができることにより、更に、作業の効率化を図ることができる電解水マイクロナノバブル生成装置を提供することを目的とする。
【課題を解決するための手段】
【０００７】
本発明の電解水マイクロナノバブル生成装置は、原水から酸性水およびアルカリ性水を生成する電解水生成装置と、前記電解水生成装置からの酸性水にマイクロナノバブルを混合して微細気泡酸性水として送水する第１微細気泡混合器と、前記電解水生成装置からのアルカリ性水にマイクロナノバブルを混合して微細気泡アルカリ性水として送水する第２微細気泡混合器と、前記第１微細気泡混合器からの微細気泡酸性水と前記第２微細気泡混合器からの微細気泡アルカリ性水とを混合して、微細気泡混合電解水とする混合器とを備えたことを特徴とする。
【０００８】
本発明の電解水マイクロナノバブル生成装置によれば、酸性水とアルカリ性水とを混合しても、マイクロナノバブルが酸性水とアルカリ性水とのそれぞれに混合されているため、マイクロナノバブルがマイナス電位を有することで、マイクロナノバブルが反発し合い、結合しない。従って、酸性水によって包囲されたマイクロナノバブルが酸性としての機能を有し、アルカリ性水によって包囲されたマイクロナノバブルがアルカリ性としての機能を有するため、それぞれの効果を維持することができる。
【０００９】
前記第１微細気泡混合器は、マイクロナノバブルとして水素ガスを、酸性水に混合するのが望ましい。第１微細気泡混合器が、酸性水に、水素ガスをマイクロナノバブルとして混合することで、ウィルスや菌をマイナス電位の力で吸着し、死滅させたり、不活性化したりすることができるので、酸性水との相乗効果を得ることができる。
【００１０】
前記第２微細気泡混合器は、マイクロナノバブルとして炭酸ガスを、アルカリ性水に混合するのが望ましい。第２微細気泡混合器が、アルカリ性水に、炭酸ガスをマイクロナノバブルとして混合することで、界面活性効果が得られるアルカリ性水と、浸透力の高い炭酸ガスのマイクロナノバブルとにより、頑固な汚れも簡単に浸透して浮かせ、水中に分散させることができるので、アルカリ性水との相乗効果を得ることができる。
【００１１】
汚れを吸着したそれぞれのマイクロナノバブルが結合して大きな気泡になりながら浮上し、液面で破裂して汚れが分離されるが、前記混合器からの気泡混合電解水を、下部から吐出させ、オーバーフローさせる貯留容器を備えていれば、オーバーフローした気泡混合電解水と共に、汚れを排出することができる。従って、貯留容器内の気泡混合電解水に汚れが蓄積することを抑えることができるので、清潔な状態を保ちながら、洗浄を継続することができる。
【００１２】
前記第１微細気泡混合器に送水される酸性水、または前記第２微細気泡混合器に送水されるアルカリ性水のいずれか一方、または両方に、磁力を付与する磁気処理器が設けられているのが望ましい。磁気処理器が酸性水またはアルカリ性水に磁力を付与することで、水のクラスタが微細化され、水分子が整列して、マイクロナノバブルとして混合される水素ガスや炭酸ガスを、水中に数多く存在させることができる。従って、第１微細気泡混合器からの微細気泡酸性水や、第２微細気泡混合器からの微細気泡アルカリ性水を、その効果を向上させた状態で供給することができる。
【００１３】
前記磁気処理器は、前記磁気処理器が設けられた配管を挟んでＮ極磁石とＳ極磁石とを対向させて配置したものとすると、配管に対して一方向に磁力線が通過するので、一定方向に水分子を整列させることができる。
【発明の効果】
【００１４】
本発明は、アルカリ性水と酸性水とを混合しても、酸性とアルカリ性のそれぞれの効果を維持することができることにより、それぞれの効果を維持しつつ、マイクロナノバブルの効果も得ることができるので、更に、作業の効率化を図ることができる。
【図面の簡単な説明】
【００１５】
【図１】本発明の実施の形態１に係る電解水マイクロナノバブル生成装置である洗面台を示す図である。
【図２】図１に示す洗面台に用いられる微細化器を示す図であり、（Ａ）は透視状態の左側面図、（Ｂ）は透視状態の正面図、（Ｃ）は透視状態の右側面図である。
【図３】本発明の実施の形態２に係る電解水マイクロナノバブル生成装置である洗浄装置を示す図である。
【図４】本発明の実施の形態３に係る電解水マイクロナノバブル生成装置である医療用洗浄装置を示す図である。
【図５】本発明の実施の形態４に係る電解水マイクロナノバブル生成装置である産業用洗浄装置を示す図である。
【図６】本発明の実施の形態５に係る電解水マイクロナノバブル生成装置である洗面台を示す図である。
【図７】図６に示す電解水マイクロナノバブル生成装置の磁気処理器を説明するための断面図である。
【発明を実施するための形態】
【００１６】
（実施の形態１）
本発明の実施の形態１に係る電解水マイクロナノバブル生成装置を図面に基づいて説明する。なお、本明細書では、マイクロナノバブルを混合した電解水を微細気泡電解水と称して説明する。
本実施の形態１に係る電解水マイクロナノバブル生成装置は、図１に示すように、貯留容器である洗面ボール１０ａに、蛇口Ｂ１とシャワーヘッドＢ２とのそれぞれから、微細気泡電解水を供給する洗面台１０としたものである。
【００１７】
洗面台１０は、原水である水道水を自動弁Ｖ１と浄水器１１を介して取り入れ、水道水を酸性水とアルカリ性水とに電解する電解水生成装置１２を備えている。
また、電解水生成装置１２には、電解を促進させて、強力殺菌を行うときには、食塩を取り入れるための調整弁Ｖ２が接続されている。
電解水生成装置１２の酸性水を送水する配管には、第１微細気泡混合器１３が接続されている。また、電解水生成装置１２の酸性水を送水する配管には、第２微細気泡混合器１４が接続されている。
【００１８】
第１微細気泡混合器１３は、ボンベ（図示せず）に充填された水素ガスをマイクロバブルにして、電解水生成装置１２からの酸性水に混合する第１気液混合器１３ａと、酸性水に混合された水素ガスの気泡をナノバブルのサイズまで細かくする第１微細化器１３ｂと、第１微細化器１３ｂから微細気泡酸性水として送水する第１ポンプ１３ｃとを備えている。
【００１９】
第２微細気泡混合器１４は、ボンベ（図示せず）に充填された炭酸ガスをマイクロバブルにして、電解水生成装置１２からのアルカリ性水に混合する第２気液混合器１４ａと、アルカリ性水に混合された炭酸ガスの気泡をナノバブルのサイズまで細かくする第２微細化器１４ｂと、第２微細化器１４ｂから微細気泡アルカリ性水として送水する第２ポンプ１４ｃとを備えている。
【００２０】
ここで、第１微細化器１３ｂと第２微細化器１４ｂ（以下、微細化器１００と称す。）とは、図２（Ａ）から図２（Ｃ）に示すようにものが使用できる。
図２（Ａ）から図２（Ｃ）に示すように微細化器１００は、直方体状の本体部１１０内に流路１２０が形成されている。
【００２１】
流路１２０は、本体部１１０の側面１１１に開口部を向けた漏斗状の流入部１２１と、略円柱状に形成された撹拌部１３０の周囲を旋回する螺旋部１２２と、撹拌部１３０の直径が流出方向に向かって小さくなる縮径壁１２３ａと円錐部１２３ｂとの間の空間である導水部１２３と、微細化器１００から微細化された気泡を含有した液体を噴射するラッパ状の流出部１２４とを備えている。
【００２２】
撹拌部１３０は、軸部１３１と、ガイド壁１３２と、突起部１３３とを備えている。
軸部１３１は、撹拌部１３０の軸線に沿って配置されている。本実施の形態では、軸部１３１は、断面が十二角形に形成されているが、円形としたり、他の多角形としたりすることができる。
ガイド壁１３２は、マイクロバブルサイズの気泡を含有した液体を、軸部１３１の周囲面を螺旋状に案内する。突起部１３３は、軸部１３１から放射状に突出して、ガイド壁１３２に沿って流れるマイクロバブルサイズの気泡を衝突させ、気泡を粉砕して微細化する。本実施の形態では、突起部１３３は、ねじにより形成されている。
【００２３】
マイクロバブルサイズの気泡を含有した液体が、流入部１２１から微細化器１００内に入ると、撹拌部１３０の螺旋部１２２を螺旋状に流れる。マイクロバブルが撹拌部１３０の突起部１３３の衝突する度に、気泡が粉砕されて微細化され、ナノバブルサイズとなる。ガイド壁１３２が螺旋状に形成されていることで、螺旋部１２２の流路を長くすることができるため、突起部１３３への衝突機会を多く取ることができる。
ナノバブルサイズを多く含む気泡（マイクロナノバブル）を含有した液体は、導水部１２３により流出部１２４へ導かれ、流出部１２４から外部へ流れ出る。
【００２４】
このようにして、第１気液混合器１３ａに接続された第１微細化器１３ｂにより微細気泡酸性水を生成することができ、第２気液混合器１４ａに接続された第２微細化器１４ｂにより微細気泡アルカリ性水を生成することができる。
【００２５】
図１に示すように、第２ポンプ１４ｃには、自動弁Ｖ３と、自動弁Ｖ４とが接続されており、自動弁Ｖ３には蛇口Ｂ１が接続され、自動弁Ｖ４には混合器１５が接続されている。混合器１５は、第１ポンプ１３ｃが接続されている。
【００２６】
蛇口Ｂ１からは、電解水生成装置１２からのアルカリ性水に、第２微細気泡混合器１４によりマイクロナノバブルを混合した微細気泡アルカリ性水を洗面ボール１０ａに吐出させることができるので、利用者は蛇口Ｂ１からの微細気泡アルカリ性水を、飲用としたり、うがい用としたりして使用することができる。
【００２７】
混合器１５は、第１ポンプ１３ｃからの微細気泡酸性水と、第２ポンプ１４ｃからの微細気泡アルカリ性水とを混合する。
混合器１５は、シャワーヘッドＢ２に接続された自動弁Ｖ５と、洗面ボール１０ａの下部の給水排水菅１６に接続された自動弁Ｖ６とに接続されている。
【００２８】
混合器１５からは、微細気泡酸性水と微細気泡アルカリ性水とが混合される。従って、シャワーヘッドＢ２からは、微細気泡酸性水と微細気泡アルカリ性水とが混合した微細気泡混合電解水を吐出させることができる。また、給水排水菅１６により、洗面ボール１０ａの下部から微細気泡混合電解水を吐出させ、微細気泡混合電解水により洗面ボール１０ａを満たすことができる。
洗面ボール１０ａを満たし、溢れた微細気泡混合電解水は、洗面ボール１０ａからオーバーフローして洗面ボール１０ａの周囲に設けられた受水部１７を介して排水される。
また、洗面ボール１０ａを満たした微細気泡混合電解水は、自動弁Ｖ７を介して排水することができる。
【００２９】
微細気泡酸性水と微細気泡アルカリ性水とを混合した微細気泡混合電解水は、マイクロナノバブルが酸性水とアルカリ性水とのそれぞれに混合されているため、マイクロナノバブルがマイナス電位を有することで、マイクロナノバブルが反発し合い、結合しない。従って、酸性水とアルカリ性水との大部分は中和するが、酸性水によって包囲されたマイクロナノバブルが酸性としての機能を有し、アルカリ性水によって包囲されたマイクロナノバブルがアルカリ性としての機能を有するため、それぞれの効果を維持することができる。よって、微細気泡混合電解水を使用して、洗浄や殺菌、飲用などを行うことにより、一回の作業で、酸性とアルカリ性との効果を同時に得ることができる。これにより、本実施の形態１に係る洗面台１０は、アルカリ性水と酸性水とを混合しても、それぞれの効果を維持しつつ、マイクロナノバブルの効果も得ることができ、更に、作業の効率化を図ることができる。
【００３０】
酸性水の効果は、ウィルスや細菌を殺菌することができる。水素ガスをマイクロナノバブルとした効果は、ウィルスや細菌を、器具や肌などの被洗浄物から剥離分散させることができる。従って、酸性水に水素ガスのマイクロナノバブルが混合した微細気泡酸性水は、水中に分散していたり、被洗浄物に付着したりするウィルスや細菌を、水素ガスのマイクロナノバブルのマイナス電位により吸着し、死滅させたり、不活性化したりすることができる。
また、微細気泡酸性水は、洗顔などにより肌に触れることで、肌を引き締める化粧水のようなアストリンゼン効果（収斂効果）を得ることができる。
【００３１】
アルカリ性水の効果は、疎水基による界面活性機能により油膜等の汚れを浮かせ、包み込んで水中に分散させることができる。また、アルカリ性水は、アトピー性皮膚炎や糖尿病が改善すると言われている。炭素ガスをマイクロナノバブルとした効果は、汚れに対する浸透力が高く、頑固な汚れにも簡単に被洗浄物と汚れとの間に浸透して浮かせることができる。
従って、アルカリ性水に炭酸ガスのマイクロナノバブルが混合した微細気泡アルカリ性水は、アルカリ性水の汚れを浮かせる効果を、炭素ガスのマイクロナノバブルより更に増加させることができる。
また、アルカリ性水にマイクロナノバブルを混合した微細気泡アルカリ性水を蛇口Ｂ１から飲用として体内に取り込むことで、胃腸症が改善すると言われている。また、微細気泡アルカリ性水をうがい用とすることで、口腔内を殺菌することができる。
【００３２】
また、洗面ボール１０ａでは、給水排水菅１６により、洗面ボール１０ａの下部から微細気泡混合電解水を吐出させているため、汚れを吸着したそれぞれのマイクロナノバブルが結合して大きな気泡になりながら浮上し、液面で破裂して汚れが分離される。この汚れは、オーバーフローした気泡混合電解水と共に、受水部１７に排出されるので、洗面ボール１０ａの気泡混合電解水に汚れが蓄積することを抑えることができるため、洗面ボール１０ａ内の気泡混合電解水を、清潔な状態を保ちながら、洗浄を継続することができる。従って、仕上げ洗浄を不要とすることができる。
【００３３】
（実施の形態２）
本発明の実施の形態２に係る電解水マイクロナノバブル生成装置を図面に基づいて説明する。なお、図３においては、図１と同じ構成のものは同符号を付して説明を省略する。
本実施の形態２では、図３に示すように、貯留容器を、浴槽１０ｂとしたものである。
混合器１５からの微細気泡混合電解水を浴槽１０ｂに溜めて使用することで、全身の洗浄および殺菌に効果を発揮させることができ、全身にアストリンゼン効果を与えることができると共に、血行を促進させて、肌を活性化することができる。
【００３４】
（実施の形態３）
本発明の実施の形態３に係る電解水マイクロナノバブル生成装置を図面に基づいて説明する。なお、図４においては、図１と同じ構成のものは同符号を付して説明を省略する。
本実施の形態３では、図４に示すように、貯留容器を医療機関における洗浄槽１０ｃとし、図１に示すシャワーヘッドＢ２の代わりに、口腔内洗浄ノズルＢ３またはうがい用の蛇口Ｂ４を設けたものである。また、電解水生成装置１２は、強酸性を有する酸性水と強アルカリ性を有するアルカリ性水を生成する。
【００３５】
混合器１５からの微細気泡混合電解水を洗浄槽１０ｃに溜めて使用したり、口腔内洗浄ノズルＢ３またはうがい用の蛇口Ｂ４から吐出させて使用したりすることで、器具や口腔内の洗浄および殺菌に、効果を発揮させることができる。
【００３６】
（実施の形態４）
本発明の実施の形態４に係る電解水マイクロナノバブル生成装置を図面に基づいて説明する。なお、図５においては、図１と同じ構成のものは同符号を付して説明を省略する。
本実施の形態４では、図５に示すように、貯留容器を、産業用洗浄装置１５０における洗浄槽１０ｄとしたものである。
【００３７】
本実施の形態４に係る産業用洗浄装置１５０では、洗浄槽１０ｄに被洗浄物を収納して回転しながら洗浄する洗浄籠１５１が配置される。
洗浄槽１０ｄには、洗浄槽１０ｄからオーバーフローした微細気泡混合電解水から汚れを分離する分離槽１５２が接続されている。また、分離槽１５２には、分離槽１５２により分離した汚れを含む汚水を貯留するための汚水槽１５３が接続されている。
【００３８】
混合器１５からの微細気泡混合電解水を洗浄槽１０ｄに溜めて、被洗浄物を収納した洗浄籠１５１を回転させることで、被洗浄物の洗浄および殺菌に効果を発揮させることができる。
【００３９】
（実施の形態５）
本発明の実施の形態５に係る電解水マイクロナノバブル生成装置を図面に基づいて説明する。なお、図６においては、図１と同じ構成のものは同符号を付して説明を省略する。
図６に示す本実施の形態５に係る電解水マイクロナノバブル生成装置としての洗面台１０ｘでは、図１に示す実施の形態１に係る電解水マイクロナノバブル生成装置において、電解水生成装置１２が電解した酸性水と、アルカリ性水とに、磁力を付与する磁気処理器１８１，１８２を、それぞれの配管１２ａ，１２ｂに設けている。
【００４０】
図７に示すように、磁気処理器１８１，１８２は、配管１２ａ，１２ｂを挟んで、Ｎ極磁石１８ａとＳ極磁石１８ｂとを対向させて配置したものである。Ｎ極磁石１８ａは、磁石のＮ極側を配管１２ａ側に向けて配置したものである。Ｓ極磁石１８ｂは、磁石のＳ極側を配管１２ｂ側に向けて配置したものである。Ｎ極磁石１８ａとＳ極磁石１８ｂとは、永久磁石でもよいし、電気磁石でもよい。
【００４１】
磁気処理器１８１，１８２が、電解水生成装置１２が電解した酸性水と、アルカリ性水に、磁力を付与することで、酸性水やアルカリ性水が磁化処理され、水のクラスタが微細化され、水分子が整列される。
水のクラスタが微細化され、水分子が整列した酸性水は、第１微細気泡混合器１３に送水され、水素ガスが混合される。また、水のクラスタが微細化され、水分子が整列したアルカリ性水は、第２微細気泡混合器１４に送水され、炭酸ガスが混合される。
水のクラスタが微細化され、水分子が整列することで、マイクロナノバブルとして混合される水素ガスや炭酸ガスは、磁力が付与されていない水と比較して、水中に数多く存在させることができる。
【００４２】
クラスタが微細化され、水分子が整列された酸性水やアルカリ性水は、その状態を維持する時間が短く、すぐに元の状態に戻ってしまう。しかし、第１微細気泡混合器１３および第２微細気泡混合器１４によりマイクロナノバブルが、酸性水やアルカリ性水に混合されてしまえば、酸性水やアルカリ性水は水中でのマイクロナノバブルが増加した状態を維持する。従って、第１微細気泡混合器１３からの微細気泡酸性水や、第２微細気泡混合器１４からの微細気泡アルカリ性水を、その効果を向上させた状態で、シャワーヘッドＢ２や蛇口Ｂ１に供給することができる。
【００４３】
また、磁気処理器１８１，１８２として、配管１２ａ，１２ｂを挟んで、Ｎ極磁石１８ａとＳ極磁石１８ｂとを対向させることで、配管１２ａ，１２ｂに対して一方向に磁力線が通過するので、一定方向に水分子を整列させることができる。
【００４４】
なお、本実施の形態５に係る電解水マイクロナノバブル生成装置では、磁気処理器１８１が酸性水を送水する配管１２ａに設けられ、磁気処理器１８２がアルカリ性水を送水する配管１２ｂに設けられているが、いずれか一方でも、マイクロナノバブルとなった水素ガスを多く混合させたり、マイクロナノバブルとなった炭酸ガスを数多く混合させたりすることができるため、有効である。
【００４５】
また、本実施の形態５では、実施の形態１に係る洗面台１０に磁気処理器１８１，１８２を設けている。しかし、実施の形態２〜実施の形態４に係る電解水マイクロナノバブル生成装置においても、電解水生成装置１２が電解した酸性水と、アルカリ性水とに、磁力を付与する磁気処理器１８１，１８２を設けることで、実施の形態５の電解水マイクロナノバブル生成装置と同様の効果を得ることができる。
【産業上の利用可能性】
【００４６】
本発明の電解水マイクロナノバブル生成装置は、酸性水とアルカリ性水とのそれぞれの効果と、マイクロナノバブルの効果を一度に得ることができるので、洗浄殺菌が必要なときに好適に用いることができる。
【符号の説明】
【００４７】
１０，１０ｘ  洗面台
１０ａ  洗面ボール
１０ｂ  浴槽
１０ｃ，１０ｄ  洗浄槽
１１  浄水器
１２  電解水生成装置
１２ａ，１２ｂ  配管
１３  第１微細気泡混合器
１３ａ  第１気液混合器
１３ｂ  第１微細化器
１３ｃ  第１ポンプ
１４  第２微細気泡混合器
１４ａ  第２気液混合器
１４ｂ  第２微細化器
１４ｃ  第２ポンプ
１５  混合器
１６  給水排水菅
１７  受水部
１８１，１８２  磁気処理器
１８ａ  Ｎ極磁石
１８ｂ  Ｓ極磁石
１００  微細化器
１１０  本体部
１１１  側面
１２０  流路
１２１  流入部
１２２  螺旋部
１２３  導水部
１２３ａ  縮径壁
１２３ｂ  円錐部
１２４  流出部
１３０  撹拌部
１３１  軸部
１３２  ガイド壁
１３３  突起部
１５０  産業用洗浄装置
１５１  洗浄籠
１５２  分離槽
１５３  汚水槽
Ｂ１，Ｂ４  蛇口
Ｂ２  シャワーヘッド
Ｂ３  口腔内洗浄ノズル
Ｖ１，Ｖ３，Ｖ４，Ｖ５，Ｖ６，Ｖ７  自動弁
Ｖ２  調整弁
【図１】
2015098014.tif 000003
【図２】
2015098014.tif 000004
【図３】
2015098014.tif 000005
【図４】
2015098014.tif 000006
【図５】
2015098014.tif 000007
【図６】
2015098014.tif 000008
【図７】
2015098014.tif 000009